Podtech/llm-jp-corpus-v4-ja_patent huggingface dataset:
(57)【要約】【課題】洗濯物を害虫や花粉、外気臭、人の視線から守れたらどれだけいいか！と思いつつ、天気がいいから！と外に干している人は大勢いる。しかし、気にしている人にとって、これらは憂鬱となる原因となる。上から被せるタイプでは洗濯物の出し入れがしずらい。また角型及丸型タイプのハンガー両方に使える様、簡単に着脱できれば、経済的である。【解決手段】上の円の中心２から下の円の中心３までファスナー４が大きく開閉することにより、洗濯物が出し入れしやすくなる。また、ゴム５にスナップボタン６を取り付けることにより、害虫や花粉等が入りづらく、本体７は着脱しやすい。円柱状にする事により（円周が長い為）角型タイプの物も使用する事ができる。害虫が問題であれば素材はネットで構わないが、花粉、外気臭など防ぐには、通気性のあるフィルター素材等含め、選択する。この場合、害虫や人の視線は完全に防げる。【選択図】図１
2007144087.tif 000002
【特許請求の範囲】
【請求項１】
物干し用の覆う布が円柱状の形をしていること
【請求項２】
ゴムの端にスナップボタンを取り付け、着脱を簡単にすること
【請求項３】
フィルター素材を使用すること
【発明の詳細な説明】
【技術分野】
【０００１】本発明は、屋外での洗濯物に対し、様々な物から洗濯を守るために、装着が簡単で、パラソルハンガーなどの丸型のタイプや連ハンガーなどの角型のタイプ両方に使用することができるようにしたものである。
【背景技術】
【０００２】従来は、四角柱をしたネットはあったが、円柱状の角型及び丸型タイプのハンガー両方に使用できるものはなかった。また、上からかぶせるタイプでは、洗濯物を下から出し入れするため、干しづらく、取り込みづらい。そのため、本発明は、ファスナーを上から下まで大きく開閉することができることにより、洗濯物も出し入れしやすく、ゴム部分にスナップボタンを取り付けることにより、着脱も簡単にすることができる。
【発明の開示】
【発明が解決しようとする課題】
【０００３】天気が良いのにもかかわらず、屋外に洗濯物を干すことができない理由として、カメムシ、蜂、てんとう虫等の虫、花粉、外気臭、人の視線などがある。これらが防げず、これらを気にしている人にとっては、これらが憂鬱となる原因となる。本発明は、これらの課題を解消するために、使いやすくなされたものである。
【課題を解決するための手段】
【０００４】覆い布１を円柱状にし、上面の円の中心２からサイドを通り下面の円の中心３まで、ファスナー４を使用することにより、大きく開閉し洗濯物が出し入れしやすくなる。ファスナー最上部２には、ゴム５を使用し密着させる事により、虫や花粉などが入りづらくなる。また、そのゴム５にはスナップボタン６を取り付けることにより、本体７が着脱しやすくなる。本発明は円形にすることにより（円周が長いため）角型のタイプのものも使用することができる。
害虫が問題であれば、素材はネットで構わないが、黒や茶色ではネットに虫がついていてもわかりづらく、逆に白色系は虫が集まりやすい。その他集まりやすい色はあるが、濃い目でも害虫がついているのがわかりやすい色を選ぶことにより、害虫と共に人の視線も多少防げる。
花粉、外気臭などを防ぐためには、通気性のあるフィルター素材等を含め、洗えることができる物を選ぶ。この場合、害虫、人の視線は完全にシャットアウトできる。
【発明の効果】
【０００５】実際、洗濯物をカメムシや花粉などから防げたらどれだけいいか！と、思いながらも、天気がいいから！と、外に干している人は大勢いる。となれば、本発明を使用する事により、直接、害となる物から洗濯物を防ぎ、脅えることなく外に干すことができる。また、家の中に干していたのであれば、室内が有効に使える。
その他、例えば、円形タイプのハンガーで使用していた本発明品を角型タイプの物にも簡単に取り付けることができる。ということは、無駄にいくつも買う必要がなくなり、経済的である。
【実施例１】
【０００６】
【図面の簡単な説明】
【０００７】
【図１】本発明を取り付けた後の斜視図である。
【符号の説明】
【０００８】１  覆い布
２  上面円の中心
３  下面円の中心
４  ファスナー
５  ゴム
６  スナップボタン
７  本体
８  パラソルハンガー
【図１】
2007144087.tif 000003
(57)【要約】【課題】  従来の寝たきり病人等のパンツは一部が汚れても全部を交換し、下痢や軟便の場合は臀部が広範囲に汚れ、後始末は臭気、時間、労力に苦慮した、また体重の重い人は一人ではパンツの交換も不可能であった。【解決手段】肛門と尿の排泄口に嚢を直接両面接着プレ−トで取り付け、嚢の内部にはトイレに流せる水分の吸収紙を入れて液状体を嚢から漏らさず、嚢は洗浄消毒により再利用が出来る素材を使用し、主要部分を部品化してマジックテ−プの貼り合わせ式一体化して部分的交換が可能にし、部分的汚れは部分的に交換出来る様にして省力化した寝たきり病人等のパンツ。【選択図】図８
2007144085.tif 000002
【特許請求の範囲】
【請求項１】
便嚢と尿嚢を肛門と尿の排泄口に直接、接着する寝たきり病人等のパンツ。
【請求項２】
便嚢と尿嚢の中から液状の汚物が漏れない様に、嚢の中に吸水紙を入れ吸水紙は注水により流動化しトイレに流せる寝たきり病人等パンツ。
【請求項３】
便嚢と尿嚢は汚物排除後に洗浄消毒により再使用出来る寝たきり病人等パンツ。
【請求項４】
主要部分を部品化し、マジックテ−プ等で貼り合わせ一体化する寝たきり病人等のパンツ。
【発明の詳細な説明】
【技術分野】
【０００１】  本発明は、俳渫の時俳渫嚢のみを交換で済む寝たきり病人等用パンツに関する。
【背景技術】
【０００２】  従来も寝たきり病人のパンツはあったが、下痢等の場合は汚物が広範囲を汚して介護人を煩わし、その都度パンツ全体を交換しなければならなかった。【０００３】  広範囲に付着した汚物を処理し、病人の清潔維持とパンツの交換に労力を要した。【０００４】  パンツを補助するオムツもあるが、漏れてシ−ツを汚すことが多かった。【０００５】  病院や施設等同室者の居る場合は、周囲の者に臭気等不快感を与えた。
【発明の開示】
【発明が解決しょうとする課題】
【０００６】  従来寝たきり病人が下痢等を排泄した場合、広範囲に拡散し事後処理に労を要した。
【０００７】  少量の排便排尿でもパンツ全体の交換を要した。
【０００８】  体重の大きい人のパンツの交換は、一人では出来なかった。
【０００９】  病院や施設等の場合同室者に臭気等多大な不快感を与えた。
【００１０】  寝たきり病人も罪悪感を余儀なくされ、精神的負担が大きかった。
【課題を解決するための手段】
【００１１】  上記目的を達成するために主要部分の部位を部品化し、マジックテ−プ等で貼り合わせ方式とし、部分的に交換出来る様にした。
【００１２】  体重の重い病人を考慮し汚れ頻度の少い腹帯２と前垂１をセパレ−トとし、汚れ頻度の多い股間帯３もセパレ−トとし、それぞれをマジックテ−プでつなぎ、汚れた場合は部分交換出来る様にした。
【００１３】  汚れの原因である排泄口には排便嚢４と排尿嚢５には汚物が漏れない程度の強度を持った両面接着プレ−ト図９で直接張り付け、嚢は再利用が可能品とした。
【００１４】  排泄物を拡散させない為に、肛門と尿道口に便嚢４と尿嚢５を直接、接着方式とし他に漏れて汚さず、また排便嚢４と排尿嚢５の内部は水分が漏れ出さない様に、吸収紙９を施した。
【００１５】  接着に影響のある体毛は毎日剃る様にした。
【発明の効果】
【００１６】  巨漢の排便排尿時の交換も、巨漢を動かすことなく介護人の負担が軽減される。
【００１７】  排便排尿の都度パンツ全体を交換すること無く、嚢のみを交換し汚物はトイレに流し、嚢は洗浄消毒し再利用可能であり経済的である。
【００１８】  下痢便等の場合の臀部の拭き取り等後始末が無くなり、省力出来る。
【００１９】  寝たきり病人等の臭気等の罪悪感による精神的負担が軽減される。
【００２０】  同室者等周囲の者の臭気による不快感が無くなる。
【００２１】  寝たきり高齢者が増加し、家庭と病院や施設等のゴミの発生を抑制出来る。
【発明を実施するための最良の形態】
【００２２】  少しの汚れでもパンツ全体交換方式を、本発明は病人等の体重も考慮し汚れやすい部位や主要部分をパ−ツとして部分交換出来る様にした。【００２３】  臀部全体が汚れる下痢便．軟便や排尿に対処して便嚢４と尿嚢５を直接排泄口に接着プレ−ト８で取り付け他の部分を汚れない様にした。【００２４】  水分は漏れやすいので嚢の中に吸水紙９を施し水分を吸水する様にした。【００２５】  また汚物は嚢に水の注入で流動化しトイレに流せる様にし、汚物が蓄積しない様にした。【００２６】  部分的な汚れは、部分的にパ−ツとして交換出来る様にした。【００２７】  巨漢でも排泄の対応を容易に出来る様にマジックテ−プによる貼り合わせ式とした。
【実施例】
【００２８】  下痢便を排泄すると、便嚢４に排泄され水分は吸収紙９に吸収されて半固形化する。【００２９】  次に便嚢４の交換は万一漏れるのを考慮して便嚢排便口６の下に紙オムツを敷き、便嚢４の接着プレ−ト図９を便嚢４側に付けて肛門から外して便嚢にキャップ８を取り付けて密封する。【００３０】  肛門回りを清潔にして代わりの便嚢４を取り付ける。【００３１】  内部の汚物処理はキャップを外し、水を注入して流動化させてトイレに流す。【００３２】  接着プレ−ト９は新品と交換し、キャップ８は清掃消毒し再利用する。
【産業上の利用可能性】
【００３３】  高齢社会になり、寝たきり病人や高齢者等が増加し、本発明品は省力容易スピ−デイで合理的であるから、病院、施設、家庭で使用されると思われる。【００３４】  病院では看護士が不足し、施設や家庭の介護も排泄の始末に苦慮しており、失禁者も増加し本品を使用する様になると思われる。【００３５】  排泄物も流動化して即トイレで流して汚物が蓄積しない点や、臭気の精神的負担がなくなり普及すると思われる。【００３６】  失禁者も臭気等を他人に遠慮することなく外出が可能となり、多く使用されると思われる。【００３７】  同室者も不快感が軽減され、本製品を奨励する様になると思われる。
【図面の簡単な説明】
【参考文献】
特許出願図面の書き方  月刊ビジネスガイド発行
【００３８】
【図１】
正面図
【図２】
背面図
【図３】
左側面図
【図４】
平面図
【図５】
符号２の腹帯展開図
【図６】
符号１の前垂展開図
【図７】
符号３の股間帯展開図
【図８】
図４平面図のＩ−Ｉ間断面図
【図９】
排泄嚢と排泄口の接合両面接着プレ−ト
【符号の説明】
【００３９】    １  前垂
２  腹帯
３  股間帯
４  便嚢
５  尿嚢
６  排便口
７  排尿口
８  排便口および排尿口キャップ
９  吸水紙
【図１】
2007144085.tif 000003
【図２】
2007144085.tif 000004
【図３】
2007144085.tif 000005
【図４】
2007144085.tif 000006
【図５】
2007144085.tif 000007
【図６】
2007144085.tif 000008
【図７】
2007144085.tif 000009
【図８】
2007144085.tif 000010
【図９】
2007144085.tif 000011
(57)【要約】【課題】  従来提案されている男性機能促進用具及び包茎矯正用具とは別なメカニズムによる男性機能促進及び包茎矯正効果が期待できる新規な男性器機能促進用具及び包茎矯正用具を提供する。【解決手段】  軟質弾性材に天然鉱石を配合した筒状のサックに形成し、側面に空気穴を設け形状をばね状にすることによりなる男性器機能促進及び包茎矯正用具。これを１日数時間程度男性器に装着する。【選択図】図１
2007144088.tif 000002
【特許請求の範囲】
【請求項１】
軟質弾性材に天然鉱石を配合した筒状の男性器サックに空気穴を設け、形をばね状にすることによりなる全体に伸縮性が優れた男性器機能促進及び包茎矯正用具。
【発明の詳細な説明】
【技術分野】
【０００１】  本発明は、男性機能の衰え及び包茎に関し、特に、男性器に装着することにより、男性機能の促進及び包茎矯正させる機能を持った男性器機能促進及び包茎矯正用具に関する。
【背景技術】
【０００２】  男性機能補助や包茎矯正の用具は様々な物が提案されている。たとえば、下記の特許文献１には、変形二重リングを採用した包茎矯正リングが開示されており、下記の特許文献２には、男性器の血液の環流を阻止する男性機能補助リングが開示されている。
【特許文献１】特許公開２００４−９７７３１号公報
【特許文献２】特許公開２００３−１３５５０１号公報
【発明の開示】
【発明が解決しようとする課題】
【０００３】  現在市販されている様々な男性機能補助及び包茎矯正用具の多くは、リング状に磁石などを入れた物で男性器の血流を阻止したり逆に血流を促したりすることによる改善の理由は指摘されているものの、どのような原理で男性機能を促進させたり包茎矯正効果を発揮させたりするのか、詳細な理論的解析はなされておらず、直接的なメカニズムは今後の研究に委ねられている。一部の被験者については有効に作用することが認められるが、別の被験者については、何ら有効性が見られないことも少なくない。【０００４】  そこで、本発明は、従来提案されている男性機能促進リングや包茎矯正リングとは別のメカニズムによる男性機能促進や包茎矯正効果が期待できる新規な男性器機能促進及び包茎矯正用具を提供することを目的とする。
【課題を解決するための手段】
【０００５】  本発明は、軟質弾性材に天然鉱石を配合した筒状の男性器サックに空気穴を設け、形をばね状にすることによりなる全体に伸縮性が優れるようにした男性器機能促進及び包茎矯正用具である。
【発明の効果】
【０００６】  本発明は、筒状のペニスサックで筒状の部分がばね状の独特の形状であることから全体に四方八方と伸縮性に優れ、装着脱着しやすいように表側も裏側も同じ機能として使用でき、且つむれ防止のため側面には空気穴が設けられていることを特徴とする男性器機能促進及び包茎矯正用具である。装着することにより有意な男性機能促進及び包茎矯正効果を得ることができる。
【発明を実施するための最良の形態】
【０００７】  本願発明者は、次のようなプロセスにより、本発明の男性器機能促進及び包茎矯正用具を作成した。シリコンゴムに天然鉱石粉末を配合した材料を金型に流し込むことにより、実施例に係る男性器機能促進及び包茎矯正用具を作成した。全体として、独特の形状と材料の弾力性での相乗効果によって伸縮率の高い用具となっている。
【実施例】
【０００８】  図面の［図１］を参照して本発明を説明すると、ペニス亀頭部に包皮が被っていない状態で先端部１を亀頭部根元に嵌め込み装着する。筒状のサックになっていることで先端部１の亀頭部根元を支点として側面部３を先端部１の方向に丸め込み、表側と裏側が反転するように装着する。その時に、ペニスの包皮をペニス付け根の下腹部の方向に引っ張りながら装着する。ペニスに装着した状態は、ペニス亀頭部根元に先端部１が挿通しペニスの付け根側に先端部２が来るように挿通する。当該実施例に係る男性器機能促進及び包茎矯正用具を、１０名の被験者の男性器に１日５，６時間程度装着させて実験を１ヶ月間行ったところ、１０名中８名の被験者から、男性機能回復もしくは包茎矯正効果が自覚できる旨の回答が得られた。効果には、個人差があり、必ずしも顕著な効果が現れなかったケースもあるが、概ね良好な結果が得られた。【０００９】  本発明の男性器機能促進及び包茎矯正用具の必須構成要素は、弾性素材に天然鉱石を配合した筒状のサック側面にむれ防止の空気穴４を設け、更にサックの伸縮性を高める為に形状をばね状にし、且つ表側裏側とリバーシブルで同じ機能として使用できることを特徴とする構成要素である。【００１０】  本発明の男性器機能促進及び包茎矯正用具は、表側裏側とリーバシブルで同じ機能として使用できる形状であることで、筒状サックの装着脱着しずらい問題点を解決している。また、天然鉱石による遠赤外線効果などから男性器の血流促進などで男性機能回復改善など考えられるが、本願発明者は、ペニスサックがばね状だという独特の形状ゆえに男性機能回復や包茎矯正に有効に作用したと考えている。平常時の男性器に装着した場合は、筒状のペニスサックの先端部に無駄に余った包皮が亀頭部の方向に戻ろうとする力が生まれる。戻ろうとした力は、ばね状のサック側面を伝わり亀頭部根元の方向に押し伸ばそうとする。また、ばね状の形状ゆえに逆にも反発し、亀頭部根元を支点に余った包皮をペニス付け根の下腹部の方向に押し返す作用が生まれる。更に、ペニス全体を一定の方向に伸ばし負荷をかけることにより血流が促進され、且つ陰茎海綿体が常時刺激を受けている状態になることで男性機能回復効果や包茎矯正効果として得られるものと考えられる。また、この独特のメカニズムによって男性器の増大増長効果も期待できる。
【図面の簡単な説明】
【図１】    本発明の側面図である。
【図２】    本発明の断面図である。
【符号の説明】
１  先端部
２  先端部
３  側面部
４  空気穴
５  先端部断面
６  側面部断面
【図１】
2007144088.tif 000003
【図２】
2007144088.tif 000004
(57)【要約】【課題】  移動、搬送に手軽で便利な小型ペット用、リュックサックを提供する。【解決手段】  リュックサック本体（１）にマチ（２）を設け、背面にメッシュ（４）を設け、メッシュ（４）はチャック（３）で開閉できるようにし、メッシュ（４）の下側にポケット（５）を設けた小型ペット用リュックサック。【選択図】図１
2007144081.tif 000002
【特許請求の範囲】
【請求項１】
リュックサック本体（１）にマチの形がくずれないように補強材を入れたマチ（２）を設け、背面にメッシュ（４）を設け、メッシュ（４）はチャック（３）で開閉できるようにし、メッシュ（４）の下側にポケット（５）を設けた小型ペット用リュックサック。
【発明の詳細な説明】
【技術分野】
【０００１】  本発明は小型ペットを移動する時に使用するもので、リュックサックの上２／３をメッシュにして空気の流れをよくし、１／３の下に小物、診察券等入れるポケットを作り、リュックサック本体にマチの形がくずれないように補強材を入れたマチを設け、背面にメッシュを設け、メッシュはチャックで開閉できるようにし、メッシュの下側にポケットを設けた小型ペット用リュックサックに関するものである。
【背景技術】
【０００２】  小型ペットを入れたリュックサックは老人でも重さを感じず両手があくので雨の日は傘もさせ、病院に連れて行く時も買物して電車に乗っても他人に迷惑をかけないようなリュックサックは無かった。
【発明の開示】
【発明が解決しようとする課題】
【０００３】  従来、市販のキャリーバック、キャリーケース等使用していたが片手で重く形も大きくガッチリしているので歩きにくい上に、せまい通路電車の中では他人に迷惑かけていた。
本発明は迷惑をかけないようなリュックサックを提供することを目的とする。
【課題を解決するための手段】
【０００４】  上記目的を達成するため本発明はリュックサック本体（１）にマチ（２）を設ける。
背面にメッシュ（４）を設ける。
メッシュ（４）はチャック（３）で開閉できるようにし、メッシュ（４）の下側にポケット（５）を設ける。
以上のように構成された小型ペット用リュックサック。
【発明の効果】
【０００５】  上記のように構成した本発明は次のような効果がある。
本発明はメッシュを使用したリュックサックなので小さな動物等のペットを移動、運搬する際、手軽で楽に行うことができる。
【発明を実施するための最良の形態】
【０００６】  以下、本発明の実施の形態を図面に基いて説明する。
図１は本発明のリュックサックの斜視図である。
図２はメッシュを開いた状態の斜視図である。
リュックサック本体（１）にマチ（２）を設ける。
背面にメッシュ（４）を設ける。
メッシュ（４）はチャク（３）で開閉できるようにし、メッシュ（４）の下側にポケット（５）を設けた小型ペット用リュックサック。
【図面の簡単な説明】
【０００７】
【図１】  本発明の斜視図
【図２】  本発明のメッシュを開いた状態の斜視図
【符号の説明】
【０００８】１  リュックサック本体（丈約４０ｃｍ  横約３０ｃｍ）
２  マチ（巾約１３ｃｍ）
３  チャック
４  メッシュ面
５  ポケット
６  開けたメッシュ面
【図１】
2007144081.tif 000003
【図２】
2007144081.tif 000004
(57)【要約】      （修正有）【課題】靴のつま先上部に発光ダイオードによる照明装置を取付け、夜間歩行時に地面前方の障害物の発見を容易にさせる。【解決手段】小型軽量とするために、発光ダイオードとボタン電池を使用し、マジックテープで取付け固定する。雨天時の使用も可能とするため照明装置には防水加工を施す。【選択図】図１
2007144084.tif 000002
【特許請求の範囲】
【請求項１】
靴のつま先上部に取付けることにより、靴前方を照らし出す照明方法
【発明の詳細な説明】
【課題】
発光ダイオードによる小型軽量照明装置を靴のつま先上部に取付け、夜間歩行時の前方を照らすことにより地面前方の障害物の発見を容易にさせる。
【解決手段】
小型軽量とするために、発光体は発光ダイオードを、電源にはボタン電池を使用する。靴つま先上部への取り付け方法はマジックテープで固定する。雨天時の使用も可能とするため照明装置には防水加工を施す。
【効果】
（懐中電灯などのように）手を使わずに足元前方を照らすことができるので、特に高齢者が暗い所を安心して歩くことができる。また両手が空くので犬の散歩時などにも利用できる。
【実施例】
2007144084.tif 000003
【図面の簡単な説明】
【図１】照明装置を示した平面図である
【図２】照明装置を示した側面図である
【図１】
2007144084.tif 000004
【図２】
2007144084.tif 000005
(57)【要約】【課題】  毎日の生活で掃除は欠かせないもので、その中のはたきかけは、長くやっていると腕が疲れてくる、そこで疲れないでできる掃除道具を提供する。【解決手段】  筒（１）を設け、筒（１）の上部と下部に軸受（５）を設け、筒（１）の中心に軸（４）を設け、軸（４）の一端に羽根（２）を設け、もう一端に止めピン（６）を設け、軸（４）の中央にプロペラ（３）を設けたことを特徴とする。【選択図】図２
2007144094.tif 000002
【特許請求の範囲】
【請求項１】
筒（１）を設け、筒（１）の上部と下部に軸受（５）を設け、筒（１）の中心に軸（４）を設け、軸（４）の一端に羽根（２）を設け、もう一端に止めピン（６）を設け、軸（４）の中央にプロペラ（３）を設けた回転はたき。
【発明の詳細な説明】
【発明の詳細な説明】
【技術分野】
【０００１】  この発明は、はたきが回転するようにした、回転はたきに関するものである。
【背景技術】
【０００２】  従来、手動によるはたきがあった。
【発明が解決しようとする課題】
【０００３】  これは次のような欠点があった。
（イ）手動ではたいていると、腕が疲れた。
（ロ）きれいにほこりを落とせなかった。
本発明は、これらの欠点を除くためになされたものである。
【課題を解決するための手段】
【０００４】  筒（１）を設け、筒（１）の上部と下部に軸受（５）を設け、筒（１）の中心に軸（４）を設け、そして、軸（４）の一端に羽根（２）を設け、もう一端に止めピン（６）を設け、軸（４）の中央にプロペラ（３）を設けた回転はたき。
本発明は、以上のような構成よりなる回転はたきである。
【発明を実施するための最良の形態】
【０００５】  以下、本発明の実施例について説明する。
筒（１）を設け、筒（１）の上部と下部に軸受（５）を設け、筒（１）の中心に軸（４）を設け、軸（４）の一端に羽根（２）を設け、もう一端に止めピン（６）を設け、軸（４）の中央にプロペラ（３）を設けた回転はたき。
本発明は以上のような構造で、これを使用するときは、掃除機のホースに筒（１）を差し込み、吸い込む空気によって筒（１）の中にあるプロペラ（３）が回転して、羽根（２）がまわり、ほこりを落とすことができる。
なおプロペラ（３）は、回転力を増やすため５ヵ所くらい設けた方がよい、そして羽根（２）のかわりにナイロン糸などでもできる。
【発明の効果】
【０００６】  自動で回転するから腕は疲れなく、長時間はたくことができる。
【図面の簡単な説明】
【図１】  本発明の斜視図である。
【図２】  本発明の筒の一部を切り欠いた斜視図である。
【符号の説明】
１．筒
２．羽根
３．プロペラ
４．軸
５．軸受
６．止めピン
【図１】
2007144094.tif 000003
【図２】
2007144094.tif 000004
(57)【要約】【課題】腰かけの上面に湯を溜める機能を持たせた風呂場の腰かけを提供する。【解決手段】腰かけ上面の外壁周辺を高くして湯を溜めるのと、流れを緩やかにし、腰部を暖めることを特徴とする。【選択図】図１
2007144091.tif 000002
【特許請求の範囲】
【請求項１】
腰かけの上面に、湯を溜める事を特徴とする風呂場の腰かけ。
【請求項２】
前記の腰かけは、湯を溜める事が出来るように、腰かけ上面の外壁周辺を高く囲み、股のあたる腰かけの前部部分を半円球状に成型する。さらに、腰かけの上面に穴をあけ、溜まったぬるい湯を順次穴から流す事により、新しく上半身にシャワーや湯をかけた時に溜まる湯の流れを調整しながら保持する事を特徴とする、請求項１に記載の風呂場の腰かけ。
【請求項３】
前記請求項２の半円球状に切り取った箇所は、湯の流出を防ぐ、クッションを兼ねたスポンジ等で成型したものを取り付けてもよい。腰かけの高低によっては、半円球の切り込みの深さを変えたり、不要になる事もある風呂場の腰かけ。
【発明の詳細な説明】
【技術分野】
【０００１】  この発明は、入浴時に用いる腰かけの形状に関する。
【背景技術】
【０００２】  従来の風呂場に用いる腰かけの形状は単なる腰かけで、上面には何も設けられていない。
【発明の開示】
【発明が解決しようとする課題】
【０００３】  しかしながら、以上の技術によれば、従来の腰かけは入浴時のみ必要であったが、他の用途には使われなかった。そこで、この発明は入浴中、終始暖かい風呂場の腰かけを提供する事を課題とする。
【課題を解決する為の手段】
【０００４】  以上の課題を解決する為に、第一発明は、腰かけ上面に湯を溜める事を特徴とする風呂場の腰かけである。また、第二発明は、腰かけの高さに応じて、前面の股のあたる部分は半円球状に切り取り成型し、湯の流れを防ぐ事を特徴とする、風呂場の腰かけである。
【発明の効果】
【０００５】  第一発明、または第二発明によれば、腰かけの外壁周辺を高くしたので、腰かけの上面は湯に溢れており、入浴中は終始腰部を暖める事ができる。また、腰かけ上面に穴をあけ、先に溜まった湯を順次流し、上半身にシャワー等でかけた新しい温かい湯の流れを調整しながら湯を保持する。
【発明を実施するための最良の形態】
【０００６】  この発明の一実施形態を、図１に示す。
腰かけ本体１の、上面外壁２に湯を多く溜めるために高く成型。腰かけ前部の股を出す部分は半円球状３に切り取るが、腰かけの高さによっては、半円球の切り込みを深くしたり、浅くしたり、不要となる場合がある。
【実施形態の効果】
【０００７】  この実施形態によれば、入浴中は終始、浴槽の中か腰かけの湯の中にいるので、常時腰部が暖かく、特に腰の悪い人には快適である。
【他の実施形態】
【０００８】  腰かけ上面前部には、足を置くための半円球状の切り込みがあるので、男女、または身長の差によっては、腰があたり座りにくい事が考えられる。そこで、腰かけの前に足を乗せる台を設置する事で、足の位置が高くなり、すねが強くへの字に曲がるため、足の長短に関係なく自由に利用できる。
【図面の簡単な説明】
【０００９】
【図１】この発明の一実施形態を示す斜視図である。１、本体  ２、外壁  ３、半円球状  ４、穴
【図１】
2007144091.tif 000003
(57)【要約】【課題】従来、石鹸入れは夛種あるけれども、水きれが良く、いつでも気持ち良く、石鹸が使えるものがなかった。本発明の石鹸入れは、水きれが良く、ぬるぬる感がなく気持良く石鹸を使うことが出来る。又石鹸が無駄に溶けるのを防ぎ長持ちすると考える、排水の汚れも緩和される、全国の健康ランド、温泉旅館、サウナ、会社の保養施設が使用することを考えると効果も更に大きくなると考える。【解決手段】蓋と中身を効率よく組合せ、入れものに穴を夛く設け、又傾斜した入れものに石鹸をのせ水分をより早く取除くこととした。【選択図】図２
2007144093.tif 000002
【特許請求の範囲】
【請求項１】
固形の石鹸等を洗面所、お風呂場などで使用する時無駄に石鹸が溶けるのを防ぐため、石鹸入れに穴を開けたり傾斜をつけた石鹸入れにして、石鹸を斜に納めることによって、石鹸に着いた水分が、いち早く流れ石鹸が無駄に溶けるのを防ぎ、ぬるぬる感のない石鹸を使うことが出来る又石鹸を斜に納めることで従来の石鹸より取り出し安くなる
【発明の詳細な説明】
【技術分野】
【０００１】本発明は、固形の石鹸入れに関する。
【背景技術】
【０００２】従来傾斜をつけ無駄に溶けるのを防ぐ石鹸入れがなかった。
【発明の開示】
【発明が解決しようとする課題】
【０００３】固形石鹸を使うとき石鹸がぬるぬる感がなく気持ち良く使える石鹸入を考案する
【課題を解決するための手段】
【０００４】石けんについた水分を少しでも早くなくすことを考案する。【０００５】その石鹸入れは、石、樹脂、木、土、ステンレス、ガラス等で制作する。【０００６】その石鹸入れは、蓋と中身とにし、中身は石鹸をのせる台ともなり蓋は石鹸をのせた中身の台ともなる。【０００７】その石鹸入れの蓋にも中身にも穴を多く開け、石鹸についた水分を１分でも早くなくすようにする。
【発明の効果】
【０００８】シャワー等で水がかゝっても水はけが良いので石鹸の溶けるのを防ぐことが出来る。【０００９】健康ランドや温泉旅館などの夛勢で石鹸を使用する所ではより夛くの効果をもたらすと考えられる。【０００１０】石鹸の溶け出るのを防ぐので水質の悪染も緩和されると考える。【０００１１】その石鹸入れは石鹸が傾斜しているので非常に取り出し安いと考える。
【発明を実施するための最良の形態】
【０００１２】傾斜をつけた石鹸入れに入れた水分のついた石鹸は水分が早くとれるので次に使う時気持が良い。
【図面の簡単な説明】
【０００１３】
【図１】本発明の全体像を示す外観図
【符号の説明】
【０００１４】１……石鹸入れ２……蓋３……中身４……支切り
【図２】
本発明の中身と蓋の合体の側面図
【符号の説明】
【０００１５】５……石鹸６……支切り７……穴８……蓋９……穴１０……中身
【図３】
本発明の蓋の展開図
【符号の説明】
【０００１６】１０……蓋１１……穴１２……穴
【図４】
本発明の中身の展開図
【符号の説明】
【０００１７】１３……中身１４……支切り１５……穴１６……穴１７……穴１８……穴１９……穴
【図１】
2007144093.tif 000003
【図２】
2007144093.tif 000004
【図３】
2007144093.tif 000005
【図４】
2007144093.tif 000006
(57)【要約】      （修正有）【課題】片手操作によって印面の向きを変えずに印面を出没させることができるようにする。【解決手段】先端開口１に、バネ２と軸３を介して蝶着し該先端開口１を開閉自在とするキャップ４を設けた先軸部５に挿設した後軸部６に摺動自在に挿入したネームホルダー７と、該ネームホルダー７の先端に着脱自在とした印鑑８よりなり、後軸部６の中間に、軸線方向の直線溝９と傾斜誘導溝１０、引っ掛かり溝１１とが連続するスライド溝１２を設けてネームホルダ７ーに固定した作動ボタン１３の軸部１３’を走行自在とし引っ掛かり溝１１への停止を自在とすると共に、作動ボタン１３の前方向への押出走行により印鑑８が接しバネ２に抗してキャップ４を開閉自在とし、ネームホルダー７の後端に設けた中子１４と後軸部６の後端に設けた天冠１５の内側には引っ掛かり溝１１方向へのひねり力Ａを伏勢したスプリング１６の端部を固定してネームホルダー７を内方に引き付ける。【選択図】図１
2007144756.tif 000002
【特許請求の範囲】
【請求項１】
先端開口に、バネと軸を介して蝶着し該先端開口を開閉自在とするキャップを設けた先軸部と、該先軸部に挿設した後軸部に摺動自在に挿入したネームホルダーと、該ネームホルダーの先端に着脱自在とした印鑑とよりなり、後軸部の中間には、軸線方向の直線溝と傾斜誘導溝、引っ掛かり溝とが連続するスライド溝を設けてネームホルダーに固定した作動ボタンの軸部を走行自在とし引っ掛かり溝への停止を自在とすると共に、作動ボタンの前方向への押出し走行により印鑑が接しバネに抗してキャップを開閉自在とし、ネームホルダーの後端に設けた中子と後軸部の後端に設けた天冠の内側には引っ掛かり溝方向へのひねり力を伏勢したスプリングの端部を固定してネームホルダーを内方に引き付けてなる印鑑装置。
【発明の詳細な説明】
【技術分野】
【０００１】
本発明は胴軸部を伸縮させることなくスプリング式によって片手操作により印鑑の印面を胴軸部の先端より出没自在とする印鑑装置に関する。
【背景技術】
【０００２】
従来印鑑装置としては、胴軸部を片手で持って一方の手でキャップを外して押捺するものとか、クリップに上下にスライドさせる操作部を設けこの操作部のスライドに従って印鑑のキャップを開閉させるものなどがある。
【０００３】
これらの場合キャップの取り外し作業が煩わしかったり、キャップを紛失する恐れがあり、又後者にあっては構造が複雑でコスト高になる恐れがある。
【発明の開示】
【発明が解決しようとする課題】
【０００４】
そこで本発明は、片手操作によって印面の向きを変えずに印面を出没させることができると共に、不用意に印面が引っ込むことなく確実に押捺作業ができ、更に比較的簡単な構造として安価に提供できるようにしようとするものである。
【課題を解決するための手段】
【０００５】
先端開口に、バネと軸を介して蝶着し該先端開口を開閉自在とするキャップを設けた先軸部と、該先軸部に挿設した後軸部に摺動自在に挿入したネームホルダーと、該ネームホルダーの先端に着脱自在とした印鑑とよりなり、後軸部の中間には、軸線方向の直線溝と傾斜誘導溝、引っ掛かり溝とが連続するスライド溝を設けてネームホルダーに固定した作動ボタンの軸部を走行自在とし引っ掛かり溝への停止を自在とすると共に、作動ボタンの前方向への押出し走行により印鑑が接しバネに抗してキャップを開閉自在とし、ネームホルダーの後端に設けた中子と後軸部の後端に設けた天冠の内側には引っ掛かり溝方向へのひねり力を伏勢したスプリングの端部を固定してネームホルダーを内方に引き付けてなる印鑑装置である。
【発明の効果】
【０００６】
本発明は、片手操作によって印鑑の印面を確実に出没させることができ、且つ押捺作業中でも不用意に印鑑が引っ込むことなくスムーズな作業ができ、又不使用時には確実に印鑑の印面が隠蔽されて不用意に衣服などを汚すことがないと共に比較的簡単な構造としてコスト安につながる。
【実施例】
【０００７】
先端開口１に、バネ２と軸３を介して蝶着し該先端開口１を開閉自在とするキャップ４を設けた先軸部５と、該先軸部５に挿設した後軸部６に摺動自在に挿入したネームホルダー７と、該ネームホルダー７の先端に着脱自在とした印鑑８とよりなり、後軸部６の中間には、軸線方向の直線溝９と傾斜誘導溝１０、引っ掛かり溝１１とが連続するスライド溝１２を設けてネームホルダー７に固定した作動ボタン１３の軸部１３’を走行自在とし引っ掛かり溝１１への停止を自在とすると共に、作動ボタン１３の前方向への押出し走行により印鑑８が接してバネ２に抗してキャップ４を開閉自在とし、ネームホルダー７の後端に設けた中子１４と後軸部６の後端に設けた天冠１５の内側には引っ掛かり溝１１方向へのひねり力Aを伏勢したスプリング１６を設けてネームホルダー７を内方(後方)に引き付けてなるものである。
【０００８】
図中１７はキャップの内側縁に設けたインナーで印鑑８の先端外側縁が接し、キャップ４の押し開きをスムーズに行わせるものである。
【作用】
【０００９】
本発明は以上のようになるもので、以下その作用を説明する。図１の印鑑８の収納された状態から印鑑８の印面８’を露呈させるのには、作動ボタン１３をスプリング１６に抗して前方に押し出すことにより作動ボタン１３の軸部１３’はスライド溝１２を走行し引っ掛かり溝１１に自動的に停止するが、ネームホルダー７、印鑑８が前方に移動し、印鑑８の先端縁がインナー１７に接してキャップ４を押し出して開き、印面８’が図２のように露呈し、押捺作業をする。
【００１０】
スプリング１６には引っ掛かり溝１１方向へのひねり力Aが加わっているので、作動ボタン１３を前方に押し出し走行させるのみで軸部１３’は自動的に傾斜誘導溝１０を通り引っ掛かり溝１１に停止し、押捺作業中でも作動ボタンの軸部１３’と引っ掛かり溝１１が押された状態で嵌り停止しているので不用意に外れることがなく、スムーズな作業ができる。
【００１１】
図２の印鑑８を収納するには、引っ掛かり溝１１と停止している軸部１３’の作動ボタン１３を傾斜誘導溝１０方向にスプリング１６のひねり力Aと引っ張り力に抗して押し出してやることにより、軸部１３’は引っ掛かり溝１１と外れ、ネームホルダー７全体がスプリング１６に引かれて割き胴軸部、後軸部６内に収納され、キャップ４も先端開口１を閉じる。
【図面の簡単な説明】
【００１２】
【図１】本発明に係る印鑑装置の印鑑収納時の断面説明図
【図２】同印鑑装置の印鑑突出時の断面説明図
【図３】本発明に係る印鑑装置の印鑑収納時の平面説明図
【図４】同印鑑装置の印鑑突出時の平面説明図
【符号の説明】
【００１３】
１：先端開口
２：バネ
３：軸
４： キャップ
５：先軸部
６：後軸部
７： ネームホルダー
８：印鑑
８’：印面
９：直線溝
１０：傾斜誘導溝
１１：引っ掛かり溝
１２：スライド溝
１３：作動ボタン
１３’：軸部
１４：中子
１５：天冠
１６：スプリング
１７：インナー
Ａ ：ひねり力
【図１】
2007144756.tif 000003
【図２】
2007144756.tif 000004
【図３】
2007144756.tif 000005
【図４】
2007144756.tif 000006
(57)【要約】【課題】本発明は電動ドリルで穴をあける場合に穴あけ面に直角に穴をあけるための電動ドリルをガイドする道具を提供する。【解決手段】電動ドリルの背面に当たる背面ガイド板、この背面板両側に設けられ電動ドリルの両側面に当たる２枚の側面ガイド板及び背面板の端部に直角に設けられるベース板からなるガイド板部とこのガイド板部を柱に固定するためのクランプを装着したことを特徴とする柱に直角に穴をあけるための電動ドリルガイド。【選択図】図１
2007144603.tif 000002
【特許請求の範囲】
【請求項１】
電動ドリルの背面に当たる背面ガイド板、この背面板両側に設けられ電動ドリルの両側面に当たる２枚の側面ガイド板及び背面板の端部に直角に設けられるベース板からなるガイド板部とこのガイド板部を柱に固定するためのクランプを装着したことを特徴とする柱に直角に穴をあけるための電動ドリルガイド。
【発明の詳細な説明】
【技術分野】
【０００１】  本発明は電動ドリルで穴をあける場合に穴あけ面に直角に穴をあけるための電動ドリルをガイドする道具に関するものである。
【背景技術】
【０００２】  従来電動ドリルを機械的なスライド機構に取り付けて使うドリルスタンドがあった。
【発明の開示】
【発明が解決しようとする課題】
【０００３】  従来より穴あけ面に直角に穴をあけるにはボール盤が一般的である。電動ドリルを使うものとしてドリルスタンドという名称のものが市販されているがこれらにはつぎのような問題点があった。
（イ）これらはいずれも穴あけ面を水平に保ち垂直に穴をあけることで直角をだす方法である。
（ロ）従ってこれらは穴あけする対象が組立前の部品の段階で穴をあけるためのものであり、すでに建ててしまった柱に水平に穴をあけるような目的には使うことが出来ない。
本発明は以上の問題点を解決するためになされたものである。
【問題を解決するための手段】
【０００４】  電動ドリルの背面に当たる背面ガイド板、この背面板両側に設けられ電動ドリルの両側面に当たる２枚の側面ガイド板を設ける。背面板の端部に直角にベース板を設ける。これをガイド板部とし、このガイド板部を柱に固定するためにガイド板部のベース板にクランプを装着したことを特徴とする柱に直角に穴をあけるための電動ドリルガイドである。
【発明の効果】
【０００５】すでに垂直に建っている柱の柱面に正確に直角に穴をあけることが出来る。
【発明を実施するための最良の形態】
【０００６】  以下、本発明を図１に示す実施の形態について説明する。
（イ）長方形の背面ガイド板（１１）の上部両側に２枚の側面ガイド板（１２）を設ける。２枚の側面ガイド板（１２）間の寸法（Ｗ）は使用する電動ドリル（３）の幅に合わせておく。背面ガイド板（１１）には背面ガイド板中心線（１６）を描いておく。
（ロ）背面ガイド板（１１）の下部にはベース板（１３）を直角に設ける。背面ガイド板（１１）とベース板（１３）の結合は充分な強度を得るため結合ブロック（１４）を介在させて結合する。さらに使用時に負荷がかかっても直角が保たれるために補強板（１５）を設ける。
（ハ）以上のように背面ガイド板（１１）、側面ガイド板（１２）、結合ブロック（１４）及び補強板（１５）で構成されるガイド板部（１）を穴あけする柱に固定するためガイド板部（１）の結合ブロック（１４）にクランプ（２）をネジ止めにより結合する。
以上説明の構造の他、図示はしないが２枚の側面版間の寸法（Ｗ）を種種の形状・寸法の電動ドリルの幅に合わせられるように可変できる構造も他の実施例となる。
本発明は以上のような構成でこれを使用する状況を図２により説明する。図２では垂直の柱（５）に水平に穴をあける状態を示す図で、柱にはあらかじめ穴あけ位置マーク（５１）及び背面ガイド板合わせ位置マーク（５２）をけがいておく。
穴あけ位置マーク（５１）及び背面ガイド板合わせ位置マーク（５２）の距離は電動ドリル（３）の背面からドリル（４）の中心線までの距離（Ｓ）にする。ガイド板部（１）はその背面ガイド板（１１）の端部があらかじめ柱にけがいておいた背面ガイド板合わせ位置マーク（５２）に合うようにクランプ（２）により固定する。
このとき背面ガイド板中心線（１６）は柱にけがいた穴あけ位置マーク（５１）の中心線に合わせる。電動ドリル（３）の背面からドリル（４）の中心線までの距離（Ｓ）は図３に示すようにして測定しておく。電動ドリル（３）の背面に当て板（６）を当てドリル（４）の中心線上のドリルの根元付近における当て板（６）までの寸法（Ｓ１）とドリルの先端付近における当て板（６）までの寸法（Ｓ２）が等しいときの寸法が（Ｓ）となる。
電動ドリル（３）は手で持ちその背面が背面ガイド板（１１）にあたるように２枚の側面板（１２）の間に入れ、電動ドリル（３）に装着したドリル（４）の先端が穴あけ位置マーク（５１）に当たるように電動ドリル（３）の位置を定める。電動ドリル（３）の背面が背面ガイド板（１１）に当たっていることを確認しながら電動ドリル（３）のスイッチを引き、穴あけ方向に押す。
【図面の簡単な説明】
【０００７】
【図１】（ａ）  本発明の構造を示す正面図  （ｂ）  本発明の構造を示す側面図
【図２】本発明品の使用方法を示す斜視図
【図３】電動ドリル背面からドリルの中心線までの距離の測り方を示す図
【符号の説明】
【０００８】１    ガイド板部
１１  背面ガイド板
１２  側面ガイド板
１３  ベース板
１４  結合ブロック
１５  補強板
１６  背面ガイド板中心線
２    クランプ
３    電動ドリル
４    ドリル
５    柱
５１  穴あけ位置マーク
５２  背面ガイド板合わせ位置マーク
６    当て板
【図１】
2007144603.tif 000003
【図２】
2007144603.tif 000004
【図３】
2007144603.tif 000005
(57)【要約】【課題】  従来の超音波霧化装置では、ノズル３の内径を適宜形成しており、又、ケース１に供給する液体のノズル３に対する深さも適宜供給されるため、ノズル３の噴出口から噴出される霧化液体の噴出高さがまちまちで、霧化効率が悪いという問題があった。【解決手段】  基板６に穴６ａが形成され、この穴６ａの下部に圧電体振動子７が装着され、又、基板６の孔６ａの周囲に装着部８が形成され、ノズル９は基部９ａの外側に装着部８に装着されるつば９ｂが形成され、又、基部９ａの内径が圧電体振動子７の直径にほぼ等しく形成され、基部６ａから徐々に細く円錐状に形成された傾斜部９ｃが形成され、傾斜部９ｃの端部で霧化液体が噴出される噴出口９ｄが形成され、この噴出口９ｄの内径は４ｍｍより大きく、圧電体振動子７の直径より小さく形成され、さらに、注入される霧化液体１０の深さは、ノズル９の噴出口９ｄの先端より５〜２０ｍｍになるように設定される。【選択図】図１
2007144335.tif 000002
【特許請求の範囲】
【請求項１】
基板に装着された圧電体振動子と、該圧電体振動子の外形とほぼ同じ径の穴を形成し、前記圧電体振動子の周囲の前記基板に形成された装着部に装着されるつばを形成し、霧化液体が通過する通路を形成した基部、該基部から徐々に径が細くなるように傾斜した円錐形状の傾斜部、該傾斜部の端部で、前記基部の内径より細く形成した噴出口とからなる霧化用ノズルとからなり、前記噴出口の内径は前記圧電体振動子の外形より小さく、４ｍｍより大きく形成することを特徴とする超音波霧化装置。
【請求項２】
前記霧化液体の高さは前記霧化用ノズルの先端より５〜２０ｍｍ以下に注入することを特徴とする請求項１記載の超音波霧化装置。
【発明の詳細な説明】
【技術分野】
【０００１】
本発明は、霧化用ノズルの最適形状及び霧化液体の最適深さを規定することにより、霧化量を増大することができる霧化用ノズルに関するものである。
【背景技術】
【０００２】
従来、超音波霧化装置としては、図２に示すように、ケース１の側壁１ａの上部に送風口１ｂを形成し、側壁１ａの対向する側壁１ｃに吸引口１ｄを形成し、ケース１の底部に水平部１ｅより僅かに傾斜した複数の傾斜部１ｆを形成し、この傾斜部１ｆの下部にそれぞれ圧電体振動子２を装着し、又、傾斜部１ｆにそれぞれ圧電体振動子２より小径の孔１ｇを形成し、傾斜部１ｆの上部に、それぞれの傾斜と同方向に傾斜した円錐状のノズル３を装着し、さらに、ノズル３の上端より僅かに下側まで霧化液体４が常に一定のレベルになるように供給され、又、圧電体振動子２に発振器５から発振出力を印加したものが提案されている。
【０００３】
一般に、霧化粒子はノズル３から噴出された霧化液体の側面から分離されるため、霧化液体の霧化量は、ノズル３から噴出される霧化液体の高さが高ければ高い程多くなるが、上記のように構成された従来の超音波霧化装置では、ノズル３として、アルミやステンレス又は鉄などの金属が使用され、ノズル３の噴出口３ａの内径の大きさ及びノズル３に対する霧化液体４の高さについて全く検討されていないので、ノズル３の内径を適宜形成しており、又、ケース１に供給する液体のノズル３に対する深さも適宜供給されるため、ノズル３の噴出口から噴出される霧化液体の噴出高さがまちまちで、霧化効率が悪いという問題があった。
【特許文献１】特願２００４−３２０６３１
【発明の開示】
【発明が解決しようとする課題】
【０００４】
解決しようとする問題点は、従来の超音波霧化装置では、ノズル３の内径を適宜形成しており、又、ケース１に供給する液体のノズル３に対する深さも適宜供給されるため、ノズル３の噴出口から噴出される霧化液体の噴出高さがまちまちで、霧化効率が悪いという問題があった。
【課題を解決するための手段】
【０００５】
本発明では、圧電体振動子は基板に装着され、霧化用ノズルは、基部が圧電体振動子の外形とほぼ同じ径の穴を形成し、圧電体振動子の周囲の基板に形成される装着部に装着されるつばを形成し、霧化液体が通過する通路を形成し、円錐形状の傾斜部が基部から徐々に径が細くなるように傾斜し、噴出口が傾斜部の端部で、基部の内径より細く形成され、噴出口の内径は前記圧電体振動子の外形より小さく、４ｍｍより大きく形成するものである。
【発明の効果】
【０００６】
本発明の超音波霧化装置では、噴出口の内径は前記圧電体振動子の外形より小さく、４ｍｍより大きく形成することにより霧化効率を向上することができ、又、霧化液体の高さを霧化用ノズルの先端より５〜２０ｍｍ以下に注入することにより、さらに、霧化効率を向上することができるという利点がある。
【発明を実施するための最良の形態】
【０００７】
本発明では、霧化用ノズルの内径を限定し、霧化液体の霧化用ノズルにたいする深さを規定することにより、噴出口から噴出される霧化液体の噴出高さが制限されることがなく、霧化効率をさらに向上することができた。
【実施例】
【０００８】
図１は本発明の実施例の超音波霧化装置の一部構成図で、基板６に穴６ａが形成され、この穴６ａの下部に圧電体振動子７が装着され、又、基板６の孔６ａの周囲に装着部８が形成され、ノズル９は基部９ａの外側に装着部８に装着されるつば９ｂが形成され、又、基部９ａの内径が圧電体振動子７の直径にほぼ等しく形成され、基部６ａから徐々に細く円錐状に形成された傾斜部９ｃが形成され、傾斜部９ｃの端部で霧化液体が噴出される噴出口９ｄが形成され、この噴出口９ｄの内径は４ｍｍより大きく、圧電体振動子７の直径より小さく形成され、さらに、注入される霧化液体１０の深さは、ノズル９の噴出口９ｄの先端より５〜２０ｍｍになるように設定される。
【０００９】
このように構成された本実施例の超音波霧化装置では、噴出口９ｄの内径が４ｍｍより大きく、圧電体振動子７の直径より小さく形成されたノズル９のつば９ｂが基板６の装着部８に装着され、霧化液体１０がノズル９の先端より５〜２０ｍｍになるように注入されると、圧電体振動子７によってノズル９の噴出口９ａから噴出される霧化液体は高さが常に一定になり、噴出された霧化液体の側部から霧化粒子が発生するので、非常に霧化効率が向上するという利点がある。
【産業上の利用可能性】
【００１０】
なお、上記実施例において、ノズル９の基部９ａの周囲に基板６の装着部８に装着するためのつば９ｂを形成したが、つば９ｂを除去し、基板６の装着部８の代わりに固定孔に形成し、ノズル９をこの固定穴に差し込んで固定するようにしてもよい。
【図面の簡単な説明】
【００１１】
【図１】本発明の実施例の超音波霧化装着の一部構成図である。
【図２】従来の超音波霧化装置の側面断面図である。
【符号の説明】
【００１２】
６                基板
７                圧電体振動子
８                装着部
９                ノズル
１０              霧化液体
【図１】
2007144335.tif 000003
【図２】
2007144335.tif 000004